(57)【要約】【課題】短絡事故時に発生するアークを早期に消滅させることのできる配電盤を提供する。【解決手段】互いに間隔をあけて配置された三相の母線導体１〜３と、これら母線導体１〜３を内部に収納する筐体とを備える閉鎖型の配電盤１０であって、筐体内部の圧力上昇に応じて三相の母線導体１〜３間を短絡する短絡手段１２をさらに備えるようにする。【選択図】図１
2018033202.tif 000002
【特許請求の範囲】
【請求項１】
互いに間隔をあけて配置された複数の母線導体と、これら母線導体を内部に収納する筐体とを備える閉鎖型の配電盤であって、
筐体内部の圧力上昇に応じて各母線導体間を短絡する短絡手段をさらに備えることを特徴とする配電盤。
【請求項２】
短絡手段は、各母線導体から離れて設けられた接地用導体からなり、この接地用導体は、筐体内部の圧力上昇により対応する母線導体に接触するものであることを特徴とする請求項１に記載の配電盤。
【請求項３】
短絡手段は、筐体内部に設けられた中空体を備えた伸縮可能な蛇腹体と接地用導体を有し、この接地用導体は、筐体内部の圧力上昇により蛇腹体が収縮する動きに連動して対応する母線導体に接触するものであることを特徴とする請求項１または２に記載の配電盤。
【請求項４】
短絡手段は、各母線導体に対応して各母線導体から離れて設けられ、筐体に支持される部材に固定された中空体と、この中空体の母線導体に向く側に配置され、シリンダ室に進退自在に設けられたピストン型の接地用導体を有するピストンシリンダ機構と、中空体の外側に設けられ、中空体の内部と連通する内部を有する伸縮可能な有蓋筒状の蛇腹体と、各中空体のシリンダ室どうしを連結し、各接地用導体が接離可能に配置され、各母線導体間を短絡するための短絡用導体とを備え、
蛇腹体は、中空体および蛇腹体の外部の筐体内部の圧力上昇に応じて収縮して接地用導体をシリンダ室から押し出すものであり、押し出された接地用導体は、対応する母線導体に接触するとともに、短絡用導体に接触するものであることを特徴とする請求項１〜３のいずれか一つに記載の配電盤。
【発明の詳細な説明】
【技術分野】
【０００１】
本発明は、例えば遮断器、制御ユニット等を内部に収納する筐体からなる閉鎖箱と、この閉鎖箱に引き込まれて、遮断器に電源からの電力を供給する母線を備えた閉鎖型配電盤などの配電盤に関するものである。
【背景技術】
【０００２】
従来、遮断器、制御ユニット等を内部に収納する筐体からなる閉鎖箱と、この閉鎖箱に引き込まれて遮断器に電源からの電力を供給する母線を備えた配電盤が知られている（例えば特許文献１、２を参照）。
【０００３】
図５は、従来の配電盤の内部の母線室内の一例を示した要部斜視図である。この図に示すように、Ｕ、Ｖ、Ｗ各相の母線導体１、２、３はその敷設方向に沿った中間箇所が図示しない支持碍子を介して配電盤筐体の内部の仕切隔壁４に絶縁支持されている。配電盤の短絡事故時に遮断器がなんらかの理由により動作しない場合、配電盤筐体と母線導体１、２、３相互間などに長時間アーク（ａｒｃ）が発生し、高温高圧のガスによる内部圧力上昇、導体焼損などの問題が発生するおそれがあった。そこで、従来は、盤筐体のフレームや盤壁を強化したり、母線導体との間隔を充分に広げることによって変形や焼損を防いでいたが、コストアップや盤本体の大型化の原因となっていた。
【先行技術文献】
【特許文献】
【０００４】
【特許文献１】特開２０１４−２０４６３２号公報
【特許文献２】特開２００４−１２９４６４号公報
【発明の概要】
【発明が解決しようとする課題】
【０００５】
ところで、短絡事故時に発生するアークを早期に消滅させることができれば、盤筐体の補強等の対策が不要になり、配電盤のコストダウンと小型化を図れるので好ましい。
【０００６】
本発明は、上記に鑑みてなされたものであって、短絡事故時に発生するアークを早期に消滅させることのできる配電盤を提供することを目的とする。
【課題を解決するための手段】
【０００７】
上記した課題を解決し、目的を達成するために、本発明に係る配電盤は、互いに間隔をあけて配置された複数の母線導体と、これら母線導体を内部に収納する筐体とを備える閉鎖型の配電盤であって、筐体内部の圧力上昇に応じて各母線導体間を短絡する短絡手段をさらに備えることを特徴とする。
【０００８】
また、本発明に係る他の配電盤は、上述した発明において、短絡手段は、各母線導体から離れて設けられた接地用導体からなり、この接地用導体は、筐体内部の圧力上昇により対応する母線導体に接触するものであることを特徴とする。
【０００９】
また、本発明に係る他の配電盤は、上述した発明において、短絡手段は、筐体内部に設けられた中空体を備えた伸縮可能な蛇腹体と接地用導体を有し、この接地用導体は、筐体内部の圧力上昇により蛇腹体が収縮する動きに連動して対応する母線導体に接触するものであることを特徴とする。
【００１０】
また、本発明に係る他の配電盤は、上述した発明において、短絡手段は、各母線導体に対応して各母線導体から離れて設けられ、筐体に支持される部材に固定された中空体と、この中空体の母線導体に向く側に配置され、シリンダ室に進退自在に設けられたピストン型の接地用導体を有するピストンシリンダ機構と、中空体の外側に設けられ、中空体の内部と連通する内部を有する伸縮可能な有蓋筒状の蛇腹体と、各中空体のシリンダ室どうしを連結し、各接地用導体が接離可能に配置され、各母線導体間を短絡するための短絡用導体とを備え、蛇腹体は、中空体および蛇腹体の外部の筐体内部の圧力上昇に応じて収縮して接地用導体をシリンダ室から押し出すものであり、押し出された接地用導体は、対応する母線導体に接触するとともに、短絡用導体に接触するものであることを特徴とする。
【発明の効果】
【００１１】
本発明に係る配電盤によれば、互いに間隔をあけて配置された複数の母線導体と、これら母線導体を内部に収納する筐体とを備える閉鎖型の配電盤であって、筐体内部の圧力上昇に応じて各母線導体間を短絡する短絡手段をさらに備えるので、配電盤の短絡事故時にアークが発生しても、筐体内部の圧力上昇に応じて短絡手段が各母線導体間を短絡するように動作するので、配電盤内の圧力が上昇した初期の段階でアークを消滅させることができる。短絡事故時のアークを早期に消滅させることができるので、盤筐体の補強等の対策が不要になり、配電盤のコストダウンと小型化を図れるという効果を奏する。また、短絡事故時の影響も最小限に抑えることができる。
【図面の簡単な説明】
【００１２】
【図１】図１は、本発明に係る配電盤の実施の形態を示す盤筐体内部の通常時の要部斜視図である。
【図２】図２は、本発明に係る配電盤の実施の形態を示す盤筐体内部の短絡事故時の要部斜視図である。
【図３】図３は、図１の断面斜視図である。
【図４】図４は、図２の断面斜視図である。
【図５】図５は、従来の配電盤の内部の要部斜視図である。
【発明を実施するための形態】
【００１３】
以下に、本発明に係る配電盤の好適な実施の形態について添付図面を参照しながら詳細に説明する。なお、この実施の形態によりこの発明が限定されるものではない。
【００１４】
図１に示すように、本実施の形態に係る配電盤１０は、互いに間隔をあけて配置された三相（複数）の母線導体１、２、３と、これら母線導体１〜３を内部に収納する図示しない筐体とを備える閉鎖型の配電盤である。この配電盤１０は、筐体内部の圧力上昇に応じて三相の母線導体１〜３間を短絡する短絡手段１２をさらに備える。
【００１５】
短絡手段１２は、図１および図３に示すように、筐体に支持される母線室の仕切隔壁１４（部材）に固定された中空箱状の中空体１６と、蛇腹体１８と、接地用導体２０と、短絡用導体２２とにより構成される。
【００１６】
中空体１６は、絶縁構造であり、各母線導体１〜３ごとに対応して各母線導体から離れて設けられる。この中空体１６には、母線導体１〜３に向く上側部分にピストンシリンダ機構２４が配置される。このピストンシリンダ機構２４は、接地用導体２０をピストンとして上下方向に進退自在に収容するシリンダ室２６により構成される。接地用導体２０の上部はシリンダ室２６の上端の孔２８から突出しており、通常時においては、図１および図３に示すように、その上端は各母線導体１〜３から離れた箇所に位置している。また、接地用導体２０の下端には仕切板状の底部導体３０が設けられている。この底部導体３０は、中空体１６の内部空気の圧力変化に応じて上下するようになっている。
【００１７】
蛇腹体１８は、中空体１６の外側に延設されて中空体１６の内部と連通する内部を有する有蓋筒状のものである。この蛇腹体１８は、図の前後方向Ｘに伸縮可能となっている。
【００１８】
短絡用導体２２は、各中空体１６のシリンダ室２６の上端どうしを連結する長板状のものであり、三相の母線導体１〜３間を短絡するために用いられる。この短絡用導体２２はシリンダ室２６の後側において、母線導体１〜３が延在する前後方向Ｘとは直交する方向に延在しており、その前側の周縁３箇所には張出部３２が設けられている。各張出部３２は各シリンダ室２６内部の上端に固定されている。この張出部３２の下面には、接地用導体２０の下端に設けられた底部導体３０の上面が接離可能となっている。
【００１９】
上記構成の動作および作用について説明する。
図２および図４に示すように、配電盤１０内の短絡事故によりアークが発生して筐体内部の圧力が上昇すると、この圧力上昇を受けて短絡手段１２の各蛇腹体１８が収縮する。蛇腹体１８の収縮に伴う空気圧が底部導体３０に作用して各接地用導体２０を上方に押し上げ、その上端が母線導体１〜３の下面に接触するとともに、底部導体３０が短絡用導体２２の張出部３２に接触する。接地用導体２０が母線導体１〜３に接触（接地）し、三相の母線導体１〜３間を短絡した時点でアークは消滅する。
【００２０】
このように、本実施の形態によれば、配電盤１０の短絡事故時にアークが発生しても、筐体内部の圧力上昇に応じて短絡手段１２が三相の母線導体１〜３間を短絡するように作用するので、配電盤１０内の圧力が上昇した初期の段階でアークを消滅させることができる。短絡事故時のアークを早期に消滅させることができるので、盤筐体の補強等の対策が不要になり、配電盤１０のコストダウンと小型化を図れるという効果を奏する。また、配電盤１０内の圧力変動を利用して作動する短絡手段１２により、短絡事故時のアークエネルギーによる盤損傷を低減することができ、短絡事故時の影響も最小限に抑えることができる。
【００２１】
上記の実施の形態においては、短絡用導体２２が中空体１６のシリンダ室２６に固定される場合を例にとり説明したが、本発明はこれに限るものではなく、例えば短絡用導体２２と各接地用導体２０の上端とをあらかじめ連結しておき、短絡用導体２２が各接地用導体２０と連動して上下に動く構成としてもよい。この場合、筐体内部の圧力上昇に応じて蛇腹体１８が収縮し、押し上げられた接地用導体２０が母線導体１〜３に接触することにより、母線導体１〜３間を短絡することができる。このようにしても、上記と同様の作用効果を奏することができる。
【００２２】
また、上記の実施の形態においては、筐体内部の圧力変動を利用して蛇腹体１８の動きをピストンシリンダ機構２４に伝達させて接地用導体２０を動かす構成としているが、ピストンシリンダ機構２４を用いずに、蛇腹体１８の動きを接地用導体２０に直接伝えて動かす構成としてもよい。
【００２３】
また、上記の実施の形態においては、各母線導体１、２、３に対応して中空体１６および蛇腹体１８をそれぞれ３個設置した場合を例にとり説明したが、このようにする代わりに、各母線導体１、２、３に対して蛇腹体１８を１個だけ設置して、この１個の蛇腹体１８で３つの接地用導体２０を同時に動かす構成としてもよい。
【００２４】
また、接地用導体２０が上下方向に動いて母線導体１〜３に接触する構成として説明したが、接地用導体２０の重量が接地動作を妨げないように、接地用導体２０が水平方向に動いて母線導体１〜３に接触する構成としてもよい。さらに、接地用導体２０が水平に対して斜め方向に動いて母線導体１〜３に接触する構成としてもよい。
【００２５】
以上説明したように、本発明に係る配電盤によれば、互いに間隔をあけて配置された複数の母線導体と、これら母線導体を内部に収納する筐体とを備える閉鎖型の配電盤であって、筐体内部の圧力上昇に応じて各母線導体間を短絡する短絡手段をさらに備えるので、配電盤の短絡事故時にアークが発生しても、筐体内部の圧力上昇に応じて短絡手段が各母線導体間を短絡するように動作するので、配電盤内の圧力が上昇した初期の段階でアークを消滅させることができる。短絡事故時のアークを早期に消滅させることができるので、盤筐体の補強等の対策が不要になり、配電盤のコストダウンと小型化を図れるという効果を奏する。また、短絡事故時の影響も最小限に抑えることができる。
【産業上の利用可能性】
【００２６】
以上のように、本発明に係る配電盤は、遮断器、制御ユニット等を内部に収納する筐体からなる閉鎖箱と、この閉鎖箱に引き込まれて、遮断器に電源からの電力を供給する母線を備えた閉鎖型配電盤に有用であり、特に、短絡事故時に発生するアークを早期に消滅させることに適している。
【符号の説明】
【００２７】
１，２，３  母線導体
１０  配電盤
１２  短絡手段
１４  仕切隔壁（部材）
１６  中空体
１８  蛇腹体
２０  接地用導体
２２  短絡用導体
２４  ピストンシリンダ機構
２６  シリンダ室
２８  孔
３０  底部導体
３２  張出部
Ｘ  前後方向
【図１】
2018033202.tif 000003
【図２】
2018033202.tif 000004
【図３】
2018033202.tif 000005
【図４】
2018033202.tif 000006
【図５】
2018033202.tif 000007